(57)【要約】【課題】ガス消費地のライフサイクルモニタとして利用可能なガス使用状況データを取得可能な積算値カウンタを備えたガスメータシステムを提案すること。【解決手段】ガスメータシステム１は、ガス消費地４に、ガスメータ４１の検針データに基づき１時間毎のガス使用状況流量積算値を１時間毎に算出する使用状況流量積算値カウント部１６０を備えている。このカウント部１６０のカウント結果に基づきガス使用判定部１１１では１時間毎のガス使用の有無を判定し、各時間毎の積算値と判定結果をガス使用状況データとして記憶領域１２４に記憶保持する。このガス使用状況データに基づき、ガス消費地４でのガス使用状況を把握して、生活異常などを迅速かつ的確に検知できる。【選択図】　　　図２
2004069624.tif 000002
【特許請求の範囲】
【請求項１】
ガス消費地に供給されるガス流量を計測するガスメータから提供される単位時間当たりのガス流量に基づき当該ガス消費地でのガス使用量の積算値を算出する積算値カウンタにおいて、
一定時間毎のガス使用量の積算値を、使用状況流量積算値として一定時間毎に算出する使用状況流量積算値カウント部と、
算出された各使用状況流量積算値を予め定められているガス使用判定用積算値と比較して、一定時間毎に前記ガス消費地でのガス使用／不使用の判定を行うガス使用判定部と、
一定時間毎の前記使用状況流量積算値およびガス使用／不使用の判定結果を記憶保持するガス使用状況データ記憶部と、
を備えていることを特徴とする積算値カウンタ。
【請求項２】
請求項１において、
前記ガス使用判定用積算値を変更可能であることを特徴とする積算値カウンタ。
【請求項３】
請求項１または２において、
前記ガス使用判定部の判定結果に基づき、ガスを連続して使用し続けている連続使用時間を算出する連続使用時間算出部と、
算出された連続使用時間が予め定められている連続使用警告時間を超えたか否かを判定する連続使用警告判定部と、
前記連続使用警告時間を超えた場合に警告を発生する連続使用警告発生部と、
前記連続使用時間および／または警告発生履歴を記憶する連続使用時間データ記憶部と、
を備えている積算値カウンタ。
【請求項４】
請求項３において、
前記連続使用警告時間を変更可能であることを特徴とする積算値カウンタ。
【請求項５】
請求項１ないし４のうちのいずれかの項において、
前記ガス使用判定部の判定結果に基づき、ガスが連続して使用されない連続不使用時間を算出する連続不使用時間算出部と、
算出された連続不使用時間が予め定められている連続不使用警告時間を超えたか否かを判定する連続不使用警告判定部と、
前記連続不使用警告時間を超えた場合に警告を発生する連続不使用警告発生部と、
前記連続不使用時間および／または警告履歴を記憶する連続不使用時間データ記憶部と、
を備えている積算値カウンタ。
【請求項６】
請求項５において、
前記連続不使用警告時間を変更可能であることを特徴とする積算値カウンタ。
【請求項７】
請求項１ないし６のうちのいずれかの項において、
前記ガス使用状況データに基づき、
前記ガス消費地における、１日のうちでガスが使用されている時間帯を表すガス使用パターン、および／または、在宅および不在の時間帯を表す在宅パターンを算出するデータ処理部を有していることを特徴とする積算値カウンタ。
【請求項８】
請求項１ないし７のうちのいずれかの項において、
ガス漏洩判別部を有しており、
このガス漏洩判別部は、一週間などの所定期間の間に、ガス不使用が１回以上あればガス漏洩無しとの判別を行い、ガス不使用が零回の場合はガス漏洩有りとの判別を行うことを特徴とする積算値カウンタ。
【請求項９】
請求項８において、
ガス漏洩有りとの判別がなされた場合に、ガス漏れ警告を発生するガス漏れ警告発生部を有していることを特徴とする積算値カウンタ。
【請求項１０】
請求項９において、
前記ガス漏れ警告履歴を記憶するガス漏れ履歴記憶部を有していることを特徴とする積算値カウンタ。
【請求項１１】
ガス消費地に供給されるガス流量を計測するガスメータと、このガスメータから提供される単位時間当たりのガス流量に基づき前記ガス消費地でのガス使用量の積算値を算出する積算値カウンタと、前記積算値カウンタからデータが提供される管理装置を有するガスメータシステムにおいて、
前記積算値カウンタは、一定時間毎のガス使用量の積算値を、使用状況流量積算値として一定時間毎に算出する使用状況流量積算値カウント部を備えており、
前記積算値カウンタまたは前記管理装置は、算出された各使用状況流量積算値を予め定められているガス使用判定用積算値と比較して、一定時間毎に前記ガス消費地でのガス使用／不使用の判定を行うガス使用判定部と、一定時間毎の前記使用状況流量積算値およびガス使用／不使用の判定結果を記憶保持するガス使用状況データ記憶部とを備えていることを特徴とするガスメータシステム。
【請求項１２】
請求項１１において、
前記ガス使用判定用積算値を変更可能であることを特徴とするガスメータシステム。
【請求項１３】
請求項１１または１２において、
前記積算値カウンタまたは前記管理装置は、
前記ガス使用判定部の判定結果に基づき、ガスを連続して使用し続けている連続使用時間を算出する連続使用時間算出部と、
算出された連続使用時間が予め定められている連続使用警告時間を超えたか否かを判定する連続使用警告判定部と、
前記連続使用警告時間を超えた場合に警告を発生する連続使用警告発生部と、
前記連続使用時間および／または警告履歴を記憶する連続使用時間データ記憶部と、
を備えていることを特徴とするガスメータシステム。
【請求項１４】
請求項１３において、
前記連続使用警告時間を変更可能であることを特徴とするガスメータシステム。
【請求項１５】
請求項１１ないし１４のうちのいずれかの項において、
前記積算値カウンタまたは前記管理装置は、
前記ガス使用判定部の判定結果に基づき、ガスが連続して使用されない連続不使用時間を算出する連続不使用時間算出部と、
算出された連続不使用時間が予め定められている連続不使用警告時間を超えたか否かを判定する連続不使用警告判定部と、
前記連続不使用警告時間を超えた場合に警告を発生する連続不使用警告発生部と、
前記連続不使用時間および／または警告履歴を記憶する連続不使用時間データ記憶部と、
を備えていることを特徴とするガスメータシステム。
【請求項１６】
請求項１５において、
前記連続不使用警告時間を変更可能であることを特徴とするガスメータシステム。
【請求項１７】
請求項１１ないし１６のうちのいずれかの項において、
前記積算値カウンタまたは前記管理装置は、
前記ガス使用状況データに基づき、
前記ガス消費地における、１日のうちでガスが使用されている時間帯を表すガス使用パターン、および／または、在宅および不在の時間帯を表す在宅パターンを算出するデータ処理部を有していることを特徴とするガスメータシステム。
【請求項１８】
請求項１１ないし１７のうちのいずれかの項において、
前記積算値カウンタまたは前記管理装置は、
ガス漏洩判別部を備えており、
このガス漏洩判別部は、一週間などの所定期間の間に、ガス不使用が１回以上あればガス漏洩無しとの判別を行い、ガス不使用が零回の場合はガス漏洩有りとの判別を行うことを特徴とするガスメータシステム。
【請求項１９】
請求項１８において、
前記積算値カウンタまたは前記管理装置は、
ガス漏洩有りとの判別がなされた場合に、ガス漏れ警告を発生するガス漏れ警告発生部を有していることを特徴とするガスメータシステム。
【請求項２０】
請求項１９において、
前記積算値カウンタまたは前記管理装置は、
ガス漏れ警告履歴を記憶するガス漏れ警告履歴記憶部を有していることを特徴とするガスメータシステム。
【発明の詳細な説明】
【０００１】
【発明の属する技術分野】
本発明は、一般住宅などのようなガス消費地でのガス使用量を検針するガスメータから定期的に提供されるガス流量に基づきガス使用量の積算値などをカウントする積算値カウンタに関するものである。
【０００２】
また、本発明は、ガスメータと、積算値カウンタと、積算値カウンタから提供される積算値に基づきガス消費地でのガス使用状況を監視可能な管理装置とを有するガスメータシステムに関するものである。
【０００３】
【従来の技術】
住宅などのガス消費地におけるガス使用量を計測するためのガスメータシステムとしては、住宅などに設置されているガス使用器具にガスを供給しているガス管などに取り付けたガスメータによりガス流量を計測し、ガスメータによる検針結果を、伝送装置などの通信手段を介して、管理本部に設置されている管理コンピュータシステム（管理装置）において集計して、１ヶ月毎のガス使用量およびガス使用料金などを算出して、課金を行うものが知られている。また、ガスメータとしてはマイクロコンピュータが内蔵され、ガス漏れ検知機能が備わったものも知られている。さらには、本願人により、ガスメータによる検針結果に基づき、暖房機器によるガス使用量や、給湯器によるガス使用量などの積算値を算出可能なマルチガスカウンタも提案されている（特開２００１−１１６６０６号公報）。
【０００４】
【発明が解決しようとする課題】
ここで、各住宅などにおけるガス使用パターンなどのガス使用状況を知ることができれば、ガス漏れ等の検出の信頼性を向上させることができ、ガス漏れ発生時には迅速に警告を出すこともできる。また、ガス使用パターンに基づき在宅時間を把握すれば、在宅時の訪問営業を確実に行うことができるので、営業の効率化を達成できる。さらには、一人暮らし宅の安否確認なども迅速、且つ確実に行うことができる。
【０００５】
本発明の課題は、このような点に鑑みて、各ガス消費地でのガス使用状況を把握するのに適した積算値カウンタ、および当該積算値カウンタを備えたガスメータシステムを提案することにある。
【０００６】
【課題を解決するための手段】
本発明は、ガス消費地に供給されるガス流量を計測するガスメータから提供される単位時間当たりのガス流量に基づき当該ガス消費地でのガス使用量の積算値を算出する積算値カウンタにおいて、
一定時間毎のガス使用量の積算値を、使用状況流量積算値として一定時間毎に算出する使用状況流量積算値カウント部と、
算出された各使用状況流量積算値を予め定められているガス使用判定用積算値と比較して、一定時間毎に前記ガス消費地でのガス使用／不使用の判定を行うガス使用判定部と、
一定時間毎の前記使用状況流量積算値およびガス使用／不使用の判定結果を記憶保持するガス使用状況データ記憶部と、
を備えていることを特徴としている。
【０００７】
本発明によれば、一定時間毎、例えば１時間毎のガス使用量およびガス使用の有無に関するデータ、すなわちガス使用状況データが得られる。このガス使用状況データに基づき、例えば、ガス消費地の在宅時間帯、生活の異常や変化などを確認できる。
【０００８】
ここで、前記ガス使用判定用積算値を変更可能であることが望ましい。例えば、口火などが常時燃焼している給湯器などを用いている場合には、その使用量を考慮してガス使用判定用積算値を設定することができる。
【０００９】
次に、本発明の積算値カウンタは、
前記ガス使用判定部の判定結果に基づき、ガスを連続して使用し続けている連続使用時間を算出する連続使用時間算出部と、
算出された連続使用時間が予め定められている連続使用警告時間を超えたか否かを判定する連続使用警告判定部と、
前記連続使用警告時間を超えた場合に警告を発生する連続使用警告発生部と、
前記連続使用時間および／または警告発生履歴を記憶する連続使用時間データ記憶部と、
を備えていることを特徴としている。
【００１０】
この場合、ガス消費地の状況に合わせて前記連続使用警告時間を変更可能であることが望ましい。例えば、上記のガス使用状況データに基づき、各ガス消費地でのガスの連続最大使用時間を求め、この連続最大使用時間を超える時間を連続使用警告時間として設定することができる。このようにすれば、ガス使用機器の消し忘れなどを精度良く検出して、的確な時期に警告を発することができる。
【００１１】
次に、本発明の積算値カウンタは、
前記ガス使用判定部の判定結果に基づき、ガスが連続して使用されない連続不使用時間を算出する連続不使用時間算出部と、
算出された連続不使用時間が予め定められている連続不使用警告時間を超えたか否かを判定する連続不使用警告判定部と、
前記連続不使用警告時間を超えた場合に警告を発生する連続不使用警告発生部と、
前記連続不使用時間および／または警告履歴を記憶する連続不使用時間データ記憶部と、
を備えていることを特徴としている。
【００１２】
この場合においても、前記連続不使用警告時間を変更可能であることが望ましい。例えば、上記のガス使用状況データに基づき、各ガス消費地でのガスの連続最大不使用時間を求め、この連続最大不使用時間を超える時間を連続不使用警告時間として設定することができる。このようにすれば、例えば、一人暮らし宅における生活異変などを確実に検出できる。
【００１３】
次に、本発明の積算値カウンタは、
前記ガス使用状況データに基づき、
前記ガス消費地における、１日のうちでガスが使用されている時間帯を表すガス使用パターン、および／または、在宅および不在の時間帯を表す在宅パターンを算出するデータ処理部を有していることを特徴としている。かかるデータ処理によって、各ガス消費地におけるガス使用状況を正確に把握可能な所謂、ライフサイクルモニタを実現できる。
【００１４】
次に、本発明の積算値カウンタは、
ガス漏洩判別部を有しており、
このガス漏洩判別部は、一週間などの所定期間の間に、ガス不使用が１回以上あればガス漏洩無しとの判別を行い、ガス不使用が零回の場合はガス漏洩有りとの判別を行うことを特徴としている。
【００１５】
ガス漏洩有りとの判別がなされた場合に、ガス漏れ警告を発生するガス漏れ警告発生部を有していることが望ましい。
【００１６】
また、前記ガス漏れ警告履歴を記憶するガス漏れ履歴記憶部を有していることが望ましい。
【００１７】
一方、本発明は、ガス消費地に供給されるガス流量を計測するガスメータと、このガスメータから提供される単位時間当たりのガス流量に基づき前記ガス消費地でのガス使用量の積算値を算出する積算値カウンタと、前記積算値カウンタからデータが提供される管理装置を有するガスメータシステムにおいて、
前記積算値カウンタは、一定時間毎のガス使用量の積算値を、使用状況流量積算値として一定時間毎に算出する使用状況流量積算値カウント部を備えており、
前記積算値カウンタまたは前記管理装置は、算出された各使用状況流量積算値を予め定められているガス使用判定用積算値と比較して、一定時間毎に前記ガス消費地でのガス使用／不使用の判定を行うガス使用判定部と、一定時間毎の前記使用状況流量積算値およびガス使用／不使用の判定結果を記憶保持するガス使用状況データ記憶部とを備えていることを特徴としている。
【００１８】
この構成によれば、管理装置において、各ガス消費地におけるガス使用状況データを集計して一括管理することができる。
【００１９】
ここで、前記ガス使用判定用積算値を変更可能であることが望ましい。
【００２０】
また、前記積算値カウンタまたは管理装置は、
前記ガス使用判定部の判定結果に基づき、ガスを連続して使用し続けている連続使用時間を算出する連続使用時間算出部と、
算出された連続使用時間が予め定められている連続使用警告時間を超えたか否かを判定する連続使用警告判定部と、
前記連続使用警告時間を超えた場合に警告を発生する連続使用警告発生部と、
前記連続使用時間および／または警告履歴を記憶する連続使用時間データ記憶部とを備えていることが望ましい。ここで、前記連続使用警告時間を変更可能であることが望ましい。
【００２１】
また、前記積算値カウンタまたは前記管理装置は、
前記ガス使用判定部の判定結果に基づき、ガスが連続して使用されない連続不使用時間を算出する連続不使用時間算出部と、
算出された連続不使用時間が予め定められている連続不使用警告時間を超えたか否かを判定する連続不使用警告判定部と、
前記連続不使用警告時間を超えた場合に警告を発生する連続不使用警告発生部と、
前記連続不使用時間および／または警告履歴を記憶する連続不使用時間データ記憶部とを備えていることが望ましい。ここで、前記連続不使用警告時間を変更可能であることが望ましい。
【００２２】
次に、前記積算値カウンタまたは前記管理装置は、
前記ガス使用状況データに基づき、
前記ガス消費地における、１日のうちでガスが使用されている時間帯を表すガス使用パターン、および／または、在宅および不在の時間帯を表す在宅パターンを算出するデータ処理部を有していることが望ましい。
【００２３】
次に、前記積算値カウンタまたは前記管理装置は、
ガス漏洩判別部を備えており、
このガス漏洩判別部は、一週間などの所定期間の間に、ガス不使用が１回以上あればガス漏洩無しとの判別を行い、ガス不使用が零回の場合はガス漏洩有りとの判別を行うことが望ましい。
【００２４】
また、前記積算値カウンタまたは前記管理装置は、
ガス漏洩有りとの判別がなされた場合に、ガス漏れ警告を発生するガス漏れ警告発生部を有していることが望ましい。
【００２５】
さらに、前記積算値カウンタまたは管理装置は、ガス漏れ警告履歴を記憶するガス漏れ警告履歴記憶部を有していることが望ましい。
【００２６】
【発明の実施の形態】
以下に図面を参照して、本発明を適用したガスメータシステムの実施例を説明する。
【００２７】
（全体構成）
図１は、本例のガスメータシステムの全体構成を示す概略構成図である。ガスメータシステム１は、管理本部に設置されている管理装置（センター装置）２と、この管理装置２に対して有線あるいは無線の通信回線３を介して接続されている複数のガス消費地４にそれぞれ設置されているガス消費側装置５とを有している。
【００２８】
ガス消費地、例えば一般住宅においては、湯沸かし器１１、ガスコンロ１２、風呂１３、ストーブ１４等のガス使用機器が設置されており、これらのガス使用機器に対しては、ガスボンベ１５から調整器１６およびガス供給管１７を介してガスが供給される。
【００２９】
ガス消費側装置５は、ガス供給管１７に取り付けたマイクロコンピュータ内蔵型のガスメータ４１と、このガスメータ４１の検針結果が供給される積算値カウンタ４２と、管理装置２との間で通信を行うための伝送装置４３とを備えている。また、積算値カウンタ４２およびガスメータ４１は、宅内表示器１８およびガス漏れ警報器１９に接続されている。
【００３０】
管理装置２では、遠隔操作により消費側装置４からガス使用量などの各種のガス使用状況データを取得することができる。
【００３１】
（積算値カウンタ）
図２は、本例の積算値カウンタ４２の内部構成を示す概略ブロック図である。この図に示すように、積算値カウンタ４２は、マイクロコンピュータから構成される制御部１１０と、各種のデータを記憶保持している記憶部１２０と、液晶表示器などからなる表示部１３０と、表示切替などを行うための操作部１４０と、ガスメータ４１、伝送装置４３、ガス漏れ警報器１９などとの間で通信を行うための通信部１５０とを有している。また、ガスメータ４１から供給されるガス検針値に基づき一定時間毎のガス使用量の積算値（使用状況流量積算値）を一定時間毎に算出する使用状況流量積算値カウント部１６０を有している。
【００３２】
記憶部１２０には、後述の機能を実現するための制御プログラムが記憶保持されていると共に、ガス使用判定用積算値の記憶領域１２１、連続使用警告時間の記憶領域１２２、連続不使用時間の記憶領域１２３、ガス使用状況データの記憶領域１２４、連続使用時間および連続不使用時間データの記憶領域１２５、および各種の警告履歴の記憶領域１２６が含まれている。
【００３３】
制御部１１０は、制御プログラムを実行することにより、以下に述べる各部分として機能する。すなわち、使用状況流量積算値カウント部１６０で算出された所定時間毎の使用状況流量積算値を予め定められているガス使用判定用積算値と比較して、所定時間毎にガス消費地４でのガス使用／不使用の判定を行うガス使用判定部１１１として機能する。所定時間毎の使用状況流量積算値およびガス使用／不使用の判定結果は、ガス使用状況データとして記憶領域１２４に記憶保持される。
【００３４】
また、制御部１１０は、ガス使用判定部１１１の判定結果に基づき、ガスを連続して使用し続けている連続使用時間を算出する連続使用時間算出部１１２、およびガスを連続して使用していない連続不使用時間を算出する連続不使用時間算出部１１３として機能する。
【００３５】
さらに、算出された連続使用時間が予め定められている連続使用警告時間を超えたか否かを判定する連続使用警告判定と、算出された連続不使用時間が予め定められている連続不使用警告時間を超えたか否かを判定する連続不使用警告判定と、一週間などの所定期間の間に、ガス不使用が１回以上あればガス漏洩無しとの判別を行い、ガス不使用が零回の場合はガス漏洩有りとの判別を行う判定部１１４として機能する。
【００３６】
さらには、判定部１１４によって、連続使用警告時間を超えたことが判別された場合、連続不使用警告時間を超えたことが判別された場合、およびガス漏れ有りとの判別がされた場合に、それぞれ、連続使用警告、連続不使用警告およびガス漏れ警告を発生する警告発生部１１５として機能する。
【００３７】
警告発生部１１５から発生する指令に基づき、表示部１３０には警告内容に対応する警告表示がなされる。また、通信部１５０を介してガス漏れ警報器１９を遠隔制御して、警報を発生させるようにすることもできる。
【００３８】
本例では、ガス消費地４でのガスの連続使用時間、連続不使用時間に関するデータが記憶領域１２５に記憶保持され、また、各種の警告発生の履歴データが警告履歴記憶領域１２６に記憶保持される。
【００３９】
ここで、記憶部１２０に記憶保持されているガス使用判定用積算値、連続使用警告時間および連続不使用警告時間は、操作部１４０を介して変更可能となっている。この代わりに、管理装置２の側から通信回線を介してこれらの値を変更できるようにしてもよい。
【００４０】
図３（ａ）および（ｂ）は、ガス使用判定部１１１におけるガス使用の有無の判定動作を示すための説明図、および判定結果の活用例を示す説明図である。
【００４１】
ガス使用判定部１１１では、例えば、ガスメータ４１の側から１０分毎に供給される検針データを積算し、例えば、一時間毎に積算した使用状況流量積算値を、ガス使用判定用積算値と比較して、ガス使用の有無を判定する。
【００４２】
ガス使用の有無判定は、例えば、ガス使用判定用積算値が零の場合は、使用状況流量積算値が零ならば不使用、使用状況積算値積算＞０ならば使用と判定する。また、口火を常時燃焼させるガス器具を使用している場合には、ガス使用判定値を口火によるガス使用量に相当する値に設定し、ガス使用状況積算値＜ガス使用判定用積算値ならば不使用、積算値≧ガス使用判定用積算値ならば使用と判定する。
【００４３】
このように判定すると、図３（ａ）において黒塗りの四角印の部分がガスを使用した時間帯となる。また、図３（ｂ）に示すように、一週間の表を作成し、ガスを使用した時間帯がはっきりわかるようにすることができる。例えば、ガス使用の時間帯は「１」、ガス不使用の時間帯は「０」を記入することで、ガス消費地４でのガス使用状況を把握をすることができる。
【００４４】
ガス使用状況データの記憶領域１２４では、図３（ａ）に示すようなガス使用の有無の判定結果と、各時間毎のガス使用状況積算値とが対応付けした形態で記憶保持される。勿論、制御部１１０にデータ処理機能を持たせて、図３（ｂ）に示す一覧表に対応するデータを作成して記憶保持してもよい。
【００４５】
次に、図４（ａ）および（ｂ）は、ガス使用判定部１１１におけるガス連続使用の判定動作を示す説明図、および連続使用の警告例を示す説明図である。
【００４６】
判定部１１１では、ガスメータ４１の側から１０分毎に検針データが供給される毎に、その検針データを積算して得られるガス使用流量積算値と、ガス使用判定用積算値とを比較してガスの連続使用の有無を判定する。
【００４７】
連続使用の有無の判定は、例えば、ガス使用判定用積算値が零の場合は、１０分毎の比較においてガス使用流量積算値が零ならば不使用、ガス使用流量積算値＞０ならば使用と判定する。また、口火を常時燃焼させるガス器具を使用している場合には、ガス使用判定用積算値≠０に設定されており、１０分毎のガス使用流量積算値＜ガス使用判定用積算値ならば不使用、ガス使用流量積算値≧ガス使用判定用積算値ならば使用と判定する。
【００４８】
連続使用時間算出部１１２および連続不使用時間算出部１１３では、この判定結果に基づき、連続使用時間および連続不使用時間を算出する。判定部１１４では、算出された連続使用時間が予め設定されている連続使用警告時間を超えた場合には、その旨の判定信号を警告発生部１１５に出力する。警告発生部１１５は表示部１３０を駆動して、図４（ｂ）に示すような警告表示を行わせる。
【００４９】
図５（ａ）および（ｂ）には、連続未使用の場合の判例動作およびその警告表示例を示してある。
【００５０】
このように、本例のガスメータシステム１では、積算値カウンタ４２によりガス消費地でのガス使用状況を把握することができる。積算値カウンタ４２において得られたガス使用状況データは、通信回線を介して、定期的に、あるいは必要時に、管理装置２の側において収集される。管理装置２の側においては、通信回線を介して供給されるガス使用状況データに基づき、各ガス消費地における、１日のうちでガスが使用されている時間帯を表すガス使用パターン、および／または、在宅および不在の時間帯を表す在宅パターンを算出することができる。すなわち、積算値カウンタ４２をガス消費地におけるライフサイクルモニタとして利用することができる。
【００５１】
従って、本例によれば、ガス消費地におけるガス使用状況データに基づき、例えば、１日のガス使用パターン、在宅の有無などを判断することができる。また、これに基づき、ガスの消し忘れやガス漏れなどの異常を迅速かつ的確に検知できる。さらには、一人暮らし宅における在宅者の生活異常などを的確に検知できる。これに加えて、ガス使用状況データに基づき在宅時間帯を求めて、その時間帯に、例えばガスメータのメンテナンスを行うなどすれば、不在のために作業ができないなどの弊害も回避できる。
【００５２】
さらには、ガス連続使用、ガス連続不使用、ガス漏れの警告履歴に基づき、警告の発生頻度の高いガス消費地などの監視を強化するなどの対策も講ずることができるので、ガス使用の安全性も高まる。
【００５３】
なお、本例では、積算値カウンタ４２にガス使用判定部１１１、連続使用時間算出部１１２、連続不使用時間算出部１１３、判定部１１４および警告発生部１１５を配置してある。この代わりに、あるいは、これと共に、管理装置２の側に対応する機能を持たせることも可能である。
【００５４】
【発明の効果】
以上説明したように、本発明の積算値カンタウおよびガスメータシステムでは、ガスメータの検針データに基づき所定時間毎のガス使用量の積算値をカウントし、これを使用状況流量積算値として記憶保持するようにしている。また、使用状況流量積算値に基づきガス使用の有無を判別し、判別結果を記憶保持するようにしている。
【００５５】
積算値カウンタによって得られたガス使用状況データは、通信回線を介して、定期的に、あるいは必要時に、管理装置２の側において収集することができ、管理装置の側においては、通信回線を介して供給されるガス使用状況データに基づき、各ガス消費地における、１日のうちでガスが使用されている時間帯を表すガス使用パターン、および／または、在宅および不在の時間帯を表す在宅パターンを算出することができる。
【００５６】
従って、本発明によれば、積算値カウンタをガス消費地におけるライフサイクルモニタとして利用することができ、ガス消費地におけるガス使用状況データに基づき、例えば、１日のガス使用パターン、在宅の有無などを判断することができる。また、これに基づき、ガスの消し忘れやガス漏れなどの異常を迅速かつ的確に検知できる。さらには、一人暮らし宅における在宅者の生活異常などを的確に検知できる。これに加えて、ガス使用状況データに基づき在宅時間帯を求めて、その時間帯に、例えばガスメータのメンテナンスを行うなどすれば、不在のために作業ができないなどの弊害も回避できる。
【００５７】
さらには、ガス連続使用、ガス連続不使用、ガス漏れの警告履歴に基づき、警告の発生頻度の高いガス消費地などの監視を強化するなどの対策も講ずることができるので、ガス使用の安全性も高まる。
【図面の簡単な説明】
【図１】本発明を適用したガスメータシステムの概略構成図である。
【図２】図１のガスメータシステムにおける積算値カウンタを示す概略ブロック図である。
【図３】（ａ）および（ｂ）は、図２の積算値カウンタによるガス使用の有無の判定動作を示す説明図および判定結果の活用例を示す説明図である。
【図４】（ａ）および（ｂ）は、図２の積算値カウンタによるガスの連続続使用時間の算出動作および連続使用警告例を示す説明図である。
【図５】（ａ）および（ｂ）は、図２の積算値カウンタによるガスの連続不使用時間の算出動作および連続不使用警告例を示す説明図である。
【符号の説明】
１　ガスメータシステム
２　管理装置
３　通信回線
４　ガス消費地
４１　ガスメータ
４２　積算値カウンタ
４３　伝送装置
１１　湯沸かし器
１２　ガスコンロ
１３　風呂
１４　ストーブ
１５　ガスボンベ
１８　宅内表示機
１９　ガス漏れ警報器
１１０　制御部
１１１　ガス使用判定部
１１２　連続使用時間算出部
１１３　連続不使用時間算出部
１１４　判定部
１１５　警告発生部
１２０　記憶部
１２１　ガス使用判定用積算値の記憶領域
１２２　連続使用警告時間の記憶領域
１２３　連続不使用警告時間の記憶領域
１２４　ガス使用状況データの記憶領域
１２５　連続使用時間および連続不使用時間データの記憶領域
１３０　表示部
１４０　操作部
１５０　通信部
１６０　使用状況流量積算値カウント部
【図１】
2004069624.tif 000003
【図２】
2004069624.tif 000004
【図３】
2004069624.tif 000005
【図４】
2004069624.tif 000006
【図５】
2004069624.tif 000007
【手続補正書】
【提出日】平成14年9月2日(2002.9.2)
【手続補正１】
【補正対象書類名】図面
【補正対象項目名】全図
【補正方法】変更
【補正の内容】
【図１】
2004069624.tif 000008
【図２】
2004069624.tif 000009
【図３】
2004069624.tif 000010
【図４】
2004069624.tif 000011
【図５】
2004069624.tif 000012